(57)【要約】【課題】  天井に取付けた照明器具、空調設備が邪魔にならないように、該天井との間に空間を形成した間仕切り装置の提供。【解決手段】  上フレーム２には柱３，３を連結して門形枠体を構成し、この門形枠体内に複数のパネル１やガラスパネル１４、又はドアパネル１９を配列した構造とし、これら各パネルはアジャスター２８にて適当な高さに支持されると共に上端は上記上フレーム２に位置決めされ、しかも該上フレーム２と天井６との間には適度な空間７を形成している。【選択図】    図１
2011208408.tif 000002
【特許請求の範囲】
【請求項１】
建物の空間を仕切る間仕切り装置において、柱と上フレームを連結して門形枠体を構成し、この門形枠体内に複数のパネルやガラスパネル、又はドアパネルや引戸を配列した構造とし、これら各パネルはアジャスターにて適当な高さに支持されると共に上端は上記上フレームに位置決めされ、しかも該上フレームと天井との間には適度な空間を形成したことを特徴とする間仕切り装置。
【請求項２】
上記各パネル又はガラスパネルなどの間にスタッドを介在し、該スタッドはその下端に取付けたアジャスターにて適度な高さに支持され、そして上記各パネルなどの側端に固定したツメをスタッドに形成したスリット溝に係合して引掛けた請求項１記載の間仕切り装置。
【請求項３】
建物の壁面にコ形断面の壁レールを取付け、この壁レールの両側片にて柱を挟み込んだ請求項１、又は請求項２記載の間仕切り装置。
【発明の詳細な説明】
【技術分野】
【０００１】
本発明は複数枚のパネルを天井との間に空間を形成して配列した間仕切り装置に関するものである。
【背景技術】
【０００２】
大きな建物空間を仕切る手段としては一般に間仕切り装置が用いられている。該間仕切り装置は複数枚のパネルをスタッドを介して連結し、その下端は床レールの所々に設けたアジャスターによって適当な高さに支えられた巾木の上に載り、上端は天井に固定した天井レールに嵌って取付けられている。勿論、パネル形態、スタッド形態、及び床レールや巾木の形態は色々あるが、基本的な構造は上記のように成っている。
【０００３】
図６は従来の一般的な間仕切り装置を示す横断面図と縦断面図である。床面（イ）には上方を開口した概略Ｕ形断面の床レール（ロ）が固定され、該床レール（ロ）の所々にはアジャスター（ハ）、（ハ）・・・が配置されている。そして、アジャスター（ハ）、（ハ）・・・には巾木（ニ）が載置され、この巾木（ニ）にはパネル（ホ）が載って起立している。
【０００４】
起立したパネル（ホ）の上端は天井（ト）に固定した天井レール（ヘ）に嵌っている。又、側壁（リ）にはコ型断面の壁レール（チ）が起立して取付けられ、パネル（ホ）の側端はこの壁レール（チ）に嵌って止着され、同時に側壁（リ）とパネル側端との隙間を無くしている。そして、隣り合うパネル（ホ）、（ホ）の間にはスタッド（ヌ）が介在して両パネル（ホ）、（ホ）を連結している。
【０００５】
このように、従来の間仕切り装置では、同図に示しているごとく天井（ト）には天井レール（ヘ）が固定され、床面（イ）には床レール（ロ）が固定されている。従って、天井レール（ヘ）が固定される天井（ト）及び床レール（ロ）が固定される床面（イ）はキズ付けられる。その為に、間仕切り装置を撤去して他の場所へ移設する場合、該天井（ト）及び床面（イ）にはキズが残る。
【０００６】
そして、天井には既に照明器具やスプリンクラー、空調設備などが設置されていることが多く、後付け工事となる間仕切り工事においては該設備の存在を認識しながらレイアウトを行なわなくてはならない。その為に、該レイアウトに多少を問わず制約がかかり、設計する上で該機材は大きな障害となる。
【発明の開示】
【発明が解決しようとする課題】
【０００７】
このように従来の間仕切り装置には上記のごとき問題がある。本発明が解決しようとする課題はこの問題点であり、天井並びに床面を加工したりキズ付けることなく、又天井に取付けてある照明器具やスプリンクラー、空調設備を考慮しないで、任意の場所に簡単に据付けることが出来、又簡単に撤去することも出来る間仕切り装置を提供する。
【課題を解決するための手段】
【０００８】
本発明に係る間仕切り装置は複数枚のパネルを配列して構成しているが、床面には床レールを敷設せず、天井には天井レールを取付けていない。アジャスターを下端に取付けて適当な高さに支持し、必要に応じて垂直に起立してスタッドを介してパネルを連結し、そして該パネル上端には上フレームが取付けられている。該上フレームの両端は垂直に起立する柱の上端に連結して支持され、しかも上フレームは天井から所定の間隔をおいて水平に配置されている。そこで、上フレームと天井との間には空間が形成され、パネルによって仕切られてもこの部分はオープン状態となる。
【０００９】
すなわち、本発明の間仕切り装置は上フレームの両端に柱を起立した門形枠体に複数枚のパネルを配列した構造としている。ここで、パネルの具体的な形態及び構造は限定せず、ペーパコアを芯材として両面に金属板を貼着した構造のパネル、又はガラス製のパネル、さらには開閉ドア又は引戸を装着したパネルとすることが出来る。又、上フレームは対向する壁面間に延びる直線状に限らず、Ｌ形やＴ形、さらには十形とする場合もある。
【発明の効果】
【００１０】
本発明の間仕切り装置は、柱と上フレームを連結して構成した門型枠体に複数枚のパネルを配列した構造とし、上フレームと天井との間は開口した空間と成っている。従って、天井に据付けられている照明器具、スプリンクラー、空調設備は間仕切り装置の設置に際して障害とならず、これらの天井設備を考慮することなく間仕切り装置を自由に設計して据付けることが出来る。
【００１１】
さらに、パネル上端が嵌って位置決めされる上フレームは従来の天井レールのように天井に取付けられるのではなく、その先端が柱にて支えられる為に、又床面には床レールが固定されない為に、任意の場所に簡単に据付けることが出来る。しかも、天井及び床面を加工しない為に該天井及び床面にキズが残らず、取外して他の場所への移設も自由である。
【図面の簡単な説明】
【００１２】
【図１】本発明に係る間仕切り装置の正面図。
【図２】（ａ）は柱とパネルの連結構造、（ｂ）柱とガラスパネルの連結構造。
【図３】間仕切り装置の各部位での縦断面図。
【図４】ドアパネルの横断面図。
【図５】柱と上フレームの具体的な連結構造。
【図６】従来の間仕切り装置の横断面図と縦断面図。
【発明を実施するための形態】
【００１３】
図１は本発明に係る間仕切り装置の概略図を示している正面図であり、同図の１はパネル、２は上フレーム、３は柱、４はスタッド、１４はガラスパネル、１９はドアパネルをそれぞれ表している。パネル１、ガラスパネル１４、ドアパネル１９、及びパネル１はスタッド４，４・・・を介して連結され、対向する両壁面５，５間に形成される大きな空間は、これら各パネル１，１４，１９，１によって仕切られる。
【００１４】
上記上フレーム２は壁面５，５に沿って垂直に起立している両柱３，３の上端に連結して門形枠体を構成している。すなわち、パネル１，ガラスパネル１４、ドアパネル１９、及びパネル１はこの門形枠体を骨組として取付けられ、堅固で安定した間仕切り装置を構成することが出来る。ところで、該門形枠体の上フレーム２は天井６に接しておらず、該天井６との間には所定の空間７を形成している。ここで、図１に示す間仕切り装置では、パネル１、ガラスパネル１４、ドアパネル１９、及びパネル１を配列して構成しているが、パネルの形態は特に限定しない。パネル１，１・・・のみを配列したり、又はガラスパネル１４，１４・・・のみで構成する場合もある。さらには、ドアパネル１９に代えて、横方向にスライドする引戸を取付ける場合もある。
【００１５】
天井には一般に照明器具、スプリンクラー、空調の吹き出し口などを設けているが、本発明では上フレーム２と天井６との間に空間７を有していることで、該天井６に前以て取付けられている各種機材が障害になることなく間仕切り装置の据付けを自由に行うことが出来る。そして、間仕切り装置の据付に際して天井６並びに床面８を加工しない為に、取外して他の場所へ移動することも自由となる。すなわち、移設に際して天井６及び床面８の補修を必要としない。
【００１６】
図２（ａ）は柱３とパネル１との連結構造を示している。柱３は概略正方形断面をした押出し材が用いられ、そして壁面５にはコ型断面の壁レール９がネジ止めされており、この壁レール９の両側片１０，１０の間に上記柱３の一部が嵌って該側片１０，１０の先端は柱３にネジ止めされている。従って、壁面５と柱３との間に発生する隙間を壁レール９の側片１０，１０にてカバーしている。
【００１７】
そして、図２（ａ）に示す柱３の側面には上下方向に連続している凹部１１，１１・・・が設けられ、この柱３の両側面の凹部１１，１１を被覆する為の柱カバー１２，１２が取付けられている。ただし、壁面５と対向する側とパネル１が連結される側には柱カバー１２，１２はなく、スタッド４は凹部１１に嵌合してネジ止めにて柱３に固定され、このスタッド４にパネル１がツメ１３によって連結している。
【００１８】
ツメ１３はコ形を成してパネル１の側端に溶接などで固定され、このツメ１３はスタッド４に形成したスリット溝に係合して連結される。すなわち、ツメ１３によってスタッド４にパネル１が引掛けられる。又、隣り合うパネル１，１の間にもスタッド４が介在している。このスタッド４はその下端にアジャスターが取付けられて適当な高さに支持され、このスタッド４にパネル１，１がツメ１３，１３によって引掛けられている。
【００１９】
又、図２（ｂ）は柱３とガラスパネル１４の連結構造を示している。基本的な連結構造は図２（ａ）の場合と同じであるが、ガラスパネル１４の場合には長方形の枠体にガラス１５を嵌めたものである。そして、ガラスパネル１４の縦桟に固定したツメ１３は柱３の凹部１１に嵌合して取付けたスタッド４に引掛けて連結している。同じく、ガラスパネル１４，１４との間にもスタッド４が介在して連結している。
【００２０】
図３は本発明の間仕切り装置の縦断面図を示している。図３（ａ）はパネル１が起立している部位の縦断面であり、スタッド４の下端にはアジャスター２８が取付けられて適当な高さに支持され、このスタッド４にパネル１が連結している。すなわち、パネル側端に固定したツメ１３がスタッド４に形成しているスリット溝に係合することで引掛けられる。そして、パネル１の上端には上フレーム２が載置されている。
【００２１】
上フレーム２の下側にはリブ１６，１６が下方へ延び、両側板１７，１７の下端部には内側へ受け１８，１８を延ばしている。そこで、パネル１の上端には受け１８，１８が当接すると共に、パネル上端部は両リブ１６，１６にて挟まれている。従って、垂直に起立したパネル１の上端は上フレーム２に位置決めされて間仕切り装置を構成する。
【００２２】
図３（ｂ）はガラスパネル１４が起立している部位の縦断面であり、基本構造は図３（ａ）の場合と同じく、アジャスター２８にて適当な高さに支持されているスタッド４に引掛けられて連結している。そしてガラスパネル１４の上端には上フレーム２が当接して位置決めされ、倒れることはない。しかも、隣り合うパネル１と共に上フレーム２に沿って一直線状に配列される。上フレーム２は必要に応じて中間で連結する場合もあるが、両柱３，３に跨る連続した１本部材である。
【００２３】
ここで、ガラスパネル１４の具体的な構造は限定しないが、長方形の枠体内面には溝が形成され、この溝にガスケット２０を介してガラス１５が取付けられている。図３（ｃ）はドアパネル１９が起立している部位の縦断面であり、取り付け方はパネル１及びガラスパネル１４の場合と同じ構造と成っている。
【００２４】
ドアパネル１９は長方形の枠体にドア２１を開閉可能に取付けている。図４にドアパネル１９の横断面図を示しているが、枠体に継手部材２２を介して取付けられ、ロックを解錠して握り部２３を持って開閉出来る。該ドアパネル１９の両側端にはパネル１の場合と同じくツメ１３，１３が取着され、このツメ１３，１３は垂直に起立するスタッド４，４に形成したスリット溝に係合して連結される。
【００２５】
ところで、上記実施例にて説明した間仕切り装置は、アジャスターにて高さ調整されたスタッドを介して各パネルを連結し、このスタッドにパネルを連結した構造としている。ただし、スタッドを使用しないでパネルを直接連結することも出来、この場合、アジャスターはパネル下端に直接取着される。そして、該アジャスターを調整してパネルを上フレームと床面との間で挟み込んで固定する。
【００２６】
一方、上フレーム２と柱３の連結構造は一般にはネジ止めであるが、具体的な構造は限定しない。図５は柱３と上フレーム２の連結構造を示す具体例である。該柱３は側面に柱カバー１２，１２・・・を取付け、該柱カバー１２は取外しすることが出来る。貫通穴を有す上フレーム２の先端にはジョイント金具２４がネジ止めされ、柱３の凹部１１にも別のジョイント金具２５が嵌っている。凹部１１の入口には係止片２６，２６が形成され、この係止片２６，２６に係止して上記ジョイント金具２５は外れないようになる。この状態で、ボルト２７，２７にてジョイント金具２４とジョイント金具２５をネジ締めすることで上フレーム２は柱３の側面に連結される。
【００２７】
本発明の基本形態は上フレーム２と柱３，３を連結した門形枠体にパネル１，１・・・やガラスパネル１４，１４・・・などを配列した間仕切り装置であるが、該上フレーム２は対向する壁面５，５間に直線状に延びる場合に限らず、Ｌ形フレームとしたり、Ｔ形フレームとしたり、さらには十形フレームとして構成することが出来る。ただし、何れの形態の場合も天井との間には空間７が形成される。
【符号の説明】
【００２８】
１  パネル
２  上フレーム
３  柱
４  スタッド
５  壁面
６  天井
７  空間
８  床面
９  壁レール
10  側片
11  凹部
12  柱カバー
13  ツメ
14  ガラスパネル
15  ガラス
16  リブ
17  側板
18  受け
19  ドアパネル
20  ガスケット
21  ドア
22  継手部材
23  握り部
24  ジョイント金具
25  ジョイント金具
26  係止片
27  ボルト
28  アジャスター
【図１】
2011208408.tif 000003
【図２】
2011208408.tif 000004
【図３】
2011208408.tif 000005
【図４】
2011208408.tif 000006
【図５】
2011208408.tif 000007
【図６】
2011208408.tif 000008